(57)【特許請求の範囲】
【請求項１】
少なくとも２つのシェービング要素を有するシェービングヘッドユニットであって、前記シェービング要素のそれぞれは、
切り落とされた毛を受容するための少なくとも１つの別個の空間を有する、別個の基部と、
毛を切り落とすための可動式に配置された切断部材と、
前記切断部材を駆動するための、前記基部に収容された駆動軸と、
前記切断部材に接続され、前記駆動軸に着脱可能に結合された枢動ピンと、
前記切断部材により切り落とされた毛を通して前記空間に受容されるようにするための複数の開口を備え、前記空間が閉じられた閉位置と、切り落とされた毛が前記空間から取り除かれることができる開位置との間で、別のシェービング要素のキャップとは独立して、関連する基部に対して移動可能であるキャップと、
を有するシェービングヘッドユニットにおいて、各前記シェービング要素は、前記シェービング要素のキャップに移動可能に装着された別個の支持装置を有し、前記キャップが開位置にある場合には、前記別個の支持装置は、前記シェービング要素の前記切断部材が前記キャップに保持された保持位置と、前記シェービング要素の前記切断部材が前記キャップから取り外されることができる解放位置との間で移動可能であり、
前記支持装置及び前記キャップの少なくとも一方は、前記支持装置及び前記キャップを互いに係止するための係止部材を有することを特徴とする、シェービングヘッドユニット。
【請求項２】
前記支持装置は、少なくとも前記キャップが開位置にあるときに、前記キャップに対して前記切断部材の前記枢動ピンを整合させるための整合装置を有することを特徴とする、請求項１に記載のシェービングヘッドユニット。
【請求項３】
前記支持装置は、前記キャップに枢動可能に結合されていることを特徴とする、請求項１に記載のシェービングヘッドユニット。
【請求項４】
前記キャップ、前記切断部材及び前記支持装置の全体が前記基部に枢動可能に結合されていることを特徴とする、請求項１乃至３のいずれか一項に記載のシェービングヘッドユニット。
【請求項５】
前記整合装置は、円錐形のガイド手段を有することを特徴とする、請求項２に記載のシェービングヘッドユニット。
【請求項６】
前記整合装置は芯出し環を有し、前記キャップが前記基部に装着されている場合に、前記芯出し環を通って、前記枢動ピン及び前記駆動軸の少なくとも一方が延在することを特徴とする、請求項２に記載のシェービングヘッドユニット。
【請求項７】
前記整合装置は、前記キャップに向かって前記芯出し環の軸から離れる方向に前記芯出し環から延在する複数のスポークを有することを特徴とする、請求項５に記載のシェービングヘッドユニット。
【請求項８】
前記切断部材の前記枢動ピンは前記駆動軸に結合され、前記切断部材及び前記枢動ピンは前記支持装置とは接触しないことを特徴とする、請求項１乃至７のいずれか一項に記載のシェービングヘッドユニット。
【請求項９】
請求項１乃至８のいずれか一項に記載のシェービングヘッドユニットを有するシェーバ。
【発明の詳細な説明】
【技術分野】
【０００１】
本発明は、少なくとも２つのシェービング要素を有するシェービングヘッドユニットであって、前記シェービング要素のそれぞれは、
切り落とされた毛を受容するための少なくとも１つの別個の空間を有する、別個の基部と、
毛を切り落とすための可動式に配置された切断部材と、
前記切断部材を駆動するための、前記基部に収容された駆動軸と、
前記切断部材に接続され、前記駆動軸に着脱可能に結合された枢動ピンと、
前記切断部材により切り落とされた毛を通して前記空間に受容されるようにするための複数の開口を備え、前記空間が閉じられた閉位置と、切り落とされた毛が前記空間から取り除かれることができる開位置との間で、別のシェービング要素のキャップとは独立して、関連する基部に対して移動可能であるキャップと、
を有するシェービングヘッドユニットに関する。
【０００２】
本発明はまた、斯かるシェービングヘッドユニットを有するシェーバに関する。
【背景技術】
【０００３】
本出願人の名義で出願された国際特許出願公開WO2008/010139により知られた斯かるシェービングヘッドユニットによれば、シェービング要素のキャップが、基部に対して開位置へと枢動されることでき、それにより切断された毛を受容するための空間から切断された毛を取り除くことが可能となる。各キャップは別のシェービング要素のキャップとは独立して枢動されるため、該キャップは１つずつ開くことができ、それにより他のシェービング要素及び該要素の切断部材が切断された毛により汚れるというリスクなしで各空間を完全に洗浄することが可能となる。該既知のシェービングヘッドユニットにおいては、切断部材はキャップと関連付けられ、キャップが開位置にあるときには、該切断部材は該キャップに対して通常の動作位置にとどまるようにされる。このようにして、キャップが開かれたときに切断部材が誤って落ちてしまうことを防ぐ。切断部材は点検されることができ、例えばキャップ及び切断部材に水を流すことにより洗浄されることができる。しかしながら、切断部材が十分に洗浄されず、シェービング性能の低減をもたらすことが分かった。更に、切断部材が損傷すると、切断部材を交換することができず、その代わりシェービングヘッドユニット全体を交換する必要がある。
【発明の概要】
【発明が解決しようとする課題】
【０００４】
本発明の目的は、最初の段落において述べた種類のシェービングヘッドユニットであって、シェービング要素の切断部材がキャップから容易に取り外しでき容易に交換できるシェービングヘッドユニットを提供することにある。
【課題を解決するための手段】
【０００５】
本目的は、各前記シェービング要素は、前記シェービング要素のキャップに移動可能に装着された別個の支持装置を有し、前記キャップが開位置にある場合には、前記別個の支持装置は、前記シェービング要素の前記切断部材が前記キャップに保持された保持位置と、前記シェービング要素の前記切断部材が前記キャップから取り外されることができる解放位置との間で移動可能である、本発明によるシェービングヘッドユニットにより達成される。
【０００６】
該切断部材は、支持装置によりキャップ内に保持される。切断部材を洗浄又は交換するためには、支持装置が解放位置へとキャップに対して移動させられ、その後切断部材はキャップから取り外されることができる。各シェービング要素はそれぞれの支持装置を備えているため、或る支持装置は解放位置にあってユーザが切断部材を取り外すことができる一方で、別の切断部材は、保持位置にあって、対応する支持装置によってそれぞれのキャップ内に保持され得る。このようにして、切断部材は１つずつ取り外され洗浄されることができ、切断部材が損傷する又は紛失されるリスクを回避できる。
【０００７】
本発明によるシェービングヘッドユニットの一実施例は、前記支持装置は、少なくとも前記キャップが開位置にあるときに、前記キャップに対して前記切断部材の前記枢動ピンを整合させるための整合装置を有することを特徴とする。
【０００８】
キャップを基部に接続するとき、切断部材の枢動ピンが該基部の駆動軸に接続される必要がある。該枢動ピンが容易に正確に接続されることを確実にするため、該切断部材の枢動ピンは、支持装置の整合装置により、キャップに対して予め整合される。
【０００９】
本発明によるシェービングヘッドユニットの別の実施例は、前記支持装置は、前記キャップに枢動可能に結合されていることを特徴とする。
【００１０】
このようにして、支持装置を紛失するリスクが回避される。更に、支持装置は、該支持装置を単に枢動させることにより、保持位置と解放位置との間で移動させられることができる。このことはユーザに便利である。支持装置が整合装置を有する場合には、キャップに対する整合装置の予め定義された運動が存在し、このことは切断部材の整合を簡便化する。
【００１１】
本発明によるシェービングヘッドユニットの更に他の実施例は、前記支持装置及び前記キャップの少なくとも一方は、前記支持装置及び前記キャップを互いに係止するための係止部材を有することを特徴とする。
【００１２】
係止部材によって、支持装置が誤ってキャップから外れるリスクが防止される。
【００１３】
本発明によるシェービングヘッドユニットの更なる実施例は、前記キャップ、前記切断部材及び前記支持装置の全体が前記基部に枢動可能に結合されていることを特徴とする。
【００１４】
このようにして、切断部材の枢動ピンが容易に駆動軸に取り付けられるようになる。なぜなら、ユーザは、切断部材及び基部における駆動軸に対する枢動ピンによりキャップを枢動するだけで良いからである。
【００１５】
支持装置が整合装置を有する場合には、枢動ピンはキャップに対して予め整合され、それにより、キャップが基部に向かって枢動されるときには、枢動ピンは駆動軸に容易に整合され結合される。必要であれば、枢動ピン及び駆動軸が互いに接続されたときに、最終的な整合が得られても良い。
【００１６】
本発明によるシェービングヘッドユニットの更に他の実施例は、前記整合装置は、円錐形のガイド手段を有することを特徴とする。
【００１７】
該円錐形のガイド手段が枢動ピンに向かって移動させられる場合、該枢動ピンは該円錐形のガイド手段に接触し得、接触した場合には、該円錐形のガイド手段の軸に向かって移動させられる。
【００１８】
本発明によるシェービングヘッドユニットの別の実施例は、前記整合装置は芯出し環を有し、前記キャップが前記基部に装着されている場合に、前記芯出し環を通って、前記枢動ピン及び前記駆動軸の少なくとも一方が延在することを特徴とする。
【００１９】
斯かる芯出し環により、枢動ピンは容易に整合されることができる。
【００２０】
本発明によるシェービングヘッドユニットの更に他の実施例は、前記整合装置は、前記キャップに向かって前記芯出し環の軸から離れる方向に前記芯出し環から延在する複数のスポークを有することを特徴とする。
【００２１】
斯かるスポークは、枢動ピンのための円錐形のガイド手段を提供する。切断された毛は、該スポーク間の空間を通って、切断部材から、切断された毛を集めるための基部における空間へと移動させられる。
【００２２】
本発明によるシェービングヘッドユニットの更に他の実施例は、前記切断部材の前記枢動ピンは前記駆動軸に結合され、前記切断部材及び前記枢動ピンは前記支持装置とは接触しないことを特徴とする。
【００２３】
支持装置と枢動ピン又は切断部材との間に接触がないため、切断部材が駆動軸により回転させられても、ノイズ又は摩耗が生じない。
【００２４】
本発明は、図面を参照しながら、より詳細に説明される。
【００２５】
図面において、同様の部分は同一の参照番号により示される。
【図面の簡単な説明】
【００２６】
【図１】本発明によるシェーバの斜視図である。
【図２】一部が断面図で示された、全てのキャップが閉位置にある、本発明によるシェービングヘッドユニットの側面図である。
【図３】１つのキャップが開位置にあり、支持装置が保持位置にある、図２に示されたシェービングヘッドユニットの一部の側面図である。
【図４】支持装置が開いたキャップから係止されていない、図２に示されたシェービングヘッドユニットの側面図である。
【図５】支持装置が開いたキャップから外されている、図３に示されたシェービングヘッドユニットの側面図である。
【図６】支持装置が開いたキャップから外されている、図３に示されたシェービングヘッドユニットの斜視図である。
【図７】切断部材が開いたキャップから取り外されている、図４に示された側面図である。
【図８】支持装置の側面図である。
【発明を実施するための形態】
【００２７】
図１は、本発明によるシェーバ１を示す。シェーバ１は、該シェーバのユーザにより保持されるのに適した本体２を有する。本発明の範囲内で本体２はいずれの適切なデザインを有しても良いという事実に鑑み、図１においては簡単さのため、本体２は単に図式的に示されている。シェーバ１は更に、剃り落とされるべき毛のある肌の領域に接するのに適し、且つ当該領域に対して適切に移動させられ得る、シェービングヘッドユニット３を有する。シェービングヘッドユニット３は、中心軸部材４を通して本体２に接続され、本体２のシェービングヘッドユニット３に対する接続は着脱可能とされ得る。中心軸部材４の断面の寸法は、シェービングヘッドユニット３の断面の寸法よりもかなり小さく、シェービングヘッドユニット３は、本体部２の外側筺体の上部から或る距離をおいて配置される。従って、本体２とシェービングヘッドユニット３との接続は、細い外観を呈し、シェービングヘッドユニット３は本体２に対して高い位置を持つ。これにより、ユーザがシェーバ１を利用することによってシェービング動作を実行するときには、該ユーザはシェービングヘッドユニット３の側面をはっきりと見ることができる。
【００２８】
図１において、シェーバ１は典型的な向き、即ちシェービングヘッドユニット３が存在するシェーバ１の側が上側である向きで示されている。以下、「上」及び「下」といった語が用いられる場合には、シェーバ１が当該向きにあることが仮定されている。いずれの場合にも、このことはシェーバ１がいずれの適切な向きで使用されても良いという事実を変更するものではない。
【００２９】
図示された実施例においては、シェービングヘッドユニット３は、三角形に配置された３つのシェービング要素６を有する。本発明の範囲内で、シェービング要素６の数は２であっても良いし、３より多くても良い。完全さのため、シェービング要素６の各々は或る程度可動的に構成され、それにより剃られるべき肌の領域の輪郭をこれらシェービング要素のそれぞれが追従することを容易にしていることに留意されたい。例えば、シェービング要素６は、限られた程度に、中心軸部材４に対して枢動可能であっても良い。各シェービング要素６は、シェービング要素６の上側に配置され、剃り落とされるべき毛を通すための複数の開口を持つ、キャップ７を有する。キャップ７は、シェービング要素６の基部９に枢動可能に接続される。キャップ７のすぐ下には、シェービング要素６の内部において、切断部材１０が回転可能に配置されている。動作の間、切断部材１０の中央部が、ばね力によりキャップ７に押しつけられる。
【００３０】
図７において、切断部材１０が詳細に示されている。特に、切断部材１０は、ディスク１１とディスク１１上に配置されたカッタとを有し、該カッタはディスク１１の周縁に沿って配置されたフック型のカッタ１２を含む。シェーバ１の動作の間、ディスク１１は回転させられ、キャップ７における開口部８を通って延在する毛が勝った１２に当たると切り落とされる。基部９は、切り落とされた毛を受容するための空間１３を備える。
【００３１】
切断部材１０を駆動する目的のため、シェーバ１は、本体２に配置され且つシェービング素子６の基部９内に配置された駆動軸３０に接続された、少なくとも１つのモータを有する。
【００３２】
以上に説明されたようなシェーバ１はそれ自体が知られており、本出願人による国際特許出願公開WO2008/010139に、より詳しく説明されている。
【００３３】
本発明によるシェービングヘッドユニット３は、各シェービング素子６が、枢動軸２２においてキャップ７に枢動可能に接続され且つキャップ７と基部９との間に配置された支持装置２１を有する点で、既知のシェービングヘッドユニットとは異なる。支持装置２１自体は、図８に示されている。支持装置２１は、環状要素２３と整合装置２４とを有する。整合装置２４は、芯出し環２５と、芯出し環２５からキャップ７に向けて芯出し環２５の軸２７から離れるように延在する３本のスポーク２６を備える。スポーク２６は、芯出し環２５とは逆側において環状要素２３に接続される。環状要素２３の直径は芯出し環２５の直径よりも大きいため、スポーク２６は円錐形の方向に整列される。シェーバ１を利用する際、切り落とされた毛はスポーク２６間の空間を通って基部９における空間１３へと移動させられる。支持装置２１は、キャップ７に係止されることができる係止部材２８を備える。
【００３４】
図２に示された位置においては、全てのシェービング要素６のキャップ７が閉位置にあり、これにより切り落とされた毛を受容するための３つの別個の空間１３の全てが閉じられる。シェービングヘッドユニット３の左側におけるシェービング要素６により示されるように、切断部材１０の枢動ピン２９は、基部９に配置された駆動軸３０に接続される。切断部材１０の枢動ピン２９は、支持装置２１に対して、駆動軸３０によって僅かに上に持ち上げられ、それによりシェーバ１が動作中であるときには支持装置２１と回転する切断部材１０との間には接触がない。
【００３５】
図３に示された位置においては、左側のシェービング要素６のキャップ７が、基部９から離れて開いた位置へと枢動させられる。これにより、切断部材１０の枢動ピン２９は、基部９の駆動軸３０から離される。支持装置２１は、係止部材２８によりキャップ７に係止され保持位置となり、芯出し環２５が切断部材１０をキャップ７に保持し、キャップ７から出ることを防ぐ。切断部材１０はばねによりキャップ７に対して付勢されても良い。
【００３６】
図３に示された位置においては、ユーザは、基部９における空間１３から、切り落とされた毛を取り除くことができる。
【００３７】
ユーザが切断部材１０を完全に洗浄したいときには、該ユーザは係止部材２８をキャップ７から外して、支持装置２１を矢印Ｐ１により示される方向に、図４に示される位置を介して、図５及び６に示される解放位置へと枢動させる。支持装置２１は、支持装置２１が基部９の空間１３内に位置するような解放位置にまで、更に枢動させられても良い。図７に示される解放位置においては、ユーザは支持装置２１に妨げられることなく、切断部材１０を取り外すことができる。別のシェービング要素６の切断部材１０は依然としてキャップ７内に位置しており、そのため該別の切断部材１０に接触してユーザが怪我をしてしまうリスク、又はこれら切断部材１０がシェーバ１から落ちてしまうリスクがない。
【００３８】
切断部材１０の洗浄又は交換の後、ユーザはキャップ７内に切断部材１０を戻す。切断部材１０は、キャップ７に対して自由に動くことができ、枢動ピン２９の軸は、キャップ７の軸に対して比較的大きな角度を持って延在しても良い。ユーザは、矢印Ｐ１により示される方向とは逆の方向に、キャップ７に向けて支持装置２１を動かす。整合装置２４のスポーク２６がこれにより枢動ピン２９に接触すると、枢動ピン２９は整合装置２４の中心に向かって旋回させられる。図３に示されるように、支持装置２１が再びキャップ７に係止されると、切断部材１０の枢動ピン２９は、整合装置２４の軸２７に対して予め整合される。枢動ピン２９及び整合装置２４の寸法に依存して、枢動ピン２９の軸が常に軸２７に対して完全に整合されても良いし、又は、駆動軸３０に対する枢動ピン２９の結合を妨げない比較的小さな角度だけ、枢動ピン２９が整合装置２４に対して依然として僅かに旋回しても良い。
【００３９】
ユーザは、基部９に向けてキャップ７を枢動させることにより、キャップ７を閉じる。予め整合された枢動ピン２９により、該キャップは、基部９における駆動軸３０と自動的に結合される。図２を参照されたい。
【００４０】
支持装置２１が、キャップ７に枢動可能に接続されるのではなく、該キャップから完全に取り外しできても良い。
【００４１】
キャップ７が２つの部分、即ち基部９に枢動可能に接続された第１の部分と、該第１の部分において中央に配置され且つ前記第１の部分に対して旋回することが可能である第２の部分と、を有することも可能である。該第２の部分は開口８を備え、切断部材１０は該第２の部分に対して配置される。
【００４２】
基部の空間に整合装置を配置することも可能である。該整合装置は好適には、円錐形のガイド手段を備える。なぜなら、斯くして円錐形のガイド手段は、所望の予め整合された位置に向けて切断部材を低速にではあるが確実に動かすことを可能とするからである。
【図１】
0006034193.tif 000002
【図２】
0006034193.tif 000003
【図３】
0006034193.tif 000004
【図４】
0006034193.tif 000005
【図５】
0006034193.tif 000006
【図６】
0006034193.tif 000007
【図７】
0006034193.tif 000008
【図８】
0006034193.tif 000009